【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
少なくとも１つの微小粘着性界面部を有するドレッシング材であって、
エチレンオキシドによる処理が施されており、
前記微小粘着性界面部が、１〜４個の単糖単位を有する多硫酸化オリゴ糖類、その塩およびその錯体から選択される少なくとも１種の化合物を備える、ドレッシング材。
【請求項２】
請求項１に記載のドレッシング材において、多硫酸化オリゴ糖化合物が、スクロースオクタスルフェートのカリウム塩類、スクロースオクタスルフェートの銀塩類、およびスクロースオクタスルフェートのヒドロキシアルミニウム錯体類から選択される、ドレッシング材。
【請求項３】
請求項１または２に記載のドレッシング材において、当該ドレッシング材が、１〜４個の単糖単位を有する多硫酸化オリゴ糖類、その塩およびその錯体から選択される化合物を、０．５〜２ｍｇ／ｃｍ２含む、ドレッシング材。
【請求項４】
請求項３に記載のドレッシング材において、当該ドレッシング材が、１〜４個の単糖単位を有する多硫酸化オリゴ糖類、その塩およびその錯体から選択される化合物を、０．７〜１．９ｍｇ／ｃｍ２含む、ドレッシング材。
【請求項５】
請求項１から４のいずれか一項に記載のドレッシング材において、微小粘着性界面部の構造が、粘着性エラストマー組成物である、ドレッシング材。
【請求項６】
請求項１から５のいずれか一項に記載のドレッシング材において、微小粘着性界面部が、少なくとも１種の粘着付与樹脂を１０〜６０重量％、少なくとも１種のハイドロコロイド化合物を２〜２０重量％、少なくとも１種の可塑化用鉱油を１０〜６５重量％、および少なくとも１種のエラストマー性ポリマーを３〜２５重量％備える、ドレッシング材。
【請求項７】
請求項６に記載のドレッシング材において、ハイドロコロイド化合物を１２〜１６重量％備える、ドレッシング材。
【請求項８】
請求項１から７のいずれか一項に記載のドレッシング材において、当該ドレッシング材が、１〜４個の単糖単位を有する多硫酸化オリゴ糖類、その塩およびその錯体から選択される少なくとも１種の化合物を、微小粘着性界面部の総重量に対し、１〜１５％備える、ドレッシング材。
【請求項９】
請求項８に記載のドレッシング材において、当該ドレッシング材が、１〜４個の単糖単位を有する多硫酸化オリゴ糖類、その塩およびその錯体から選択される少なくとも１種の化合物を、微小粘着性界面部の総重量に対し、５〜１０％備える、ドレッシング材。
【請求項１０】
少なくとも１つの微小粘着性界面部を有するドレッシング材であって、
１〜４個の単糖単位を有する多硫酸化オリゴ糖類、その塩およびその錯体から選択される少なくとも１種の化合物が、前記微小粘着性界面部内に含有されているか又は前記微小粘着性界面部上に付着しており、
前記化合物の徐放性が、サチェット法に準じて測定される４０ｍｌ生理食塩水からなる溶媒中での溶解量が５時間で４％以上、１０時間で５％以上、１５時間で５．５％以上、２０時間で６％以上であることにより表される、ドレッシング材。
【請求項１１】
請求項１０に記載のドレッシング材において、当該ドレッシング材が示す多硫酸化オリゴ糖類の徐放性が、サチェット法に準じて測定される４０ｍｌ生理食塩水からなる溶媒中での溶解量が５時間で５％以上、１０時間で５．５％以上、１５時間で６％以上、２０時間で７％以上であることにより表される、ドレッシング材。
【請求項１２】
請求項１から１１のいずれか一項に記載のドレッシング材において、微小粘着性界面部の、当該ドレッシング材に付与する粘着力が、鋼板上での測定値で、０．５〜１００ｃＮ／ｃｍである、ドレッシング材。
【請求項１３】
請求項１２に記載のドレッシング材において、微小粘着性界面部の、当該ドレッシング材に付与する粘着力が、鋼板上での測定値で、５〜４０ｃＮ／ｃｍである、ドレッシング材。
【請求項１４】
請求項１から１３のいずれか一項に記載のドレッシング材において、創傷の清浄化又は治癒、ストレッチマークの防止、ストレッチマークの治療、瘢痕の防止、および／または瘢痕の治療に用いられる、ドレッシング材。
【請求項１５】
請求項１から１３のいずれか一項に記載のドレッシング材において、ストレッチマークまたはストレッチマークによる瘢痕もしくは皮膚損傷を防止および／または美容処置するため、少なくとも１つの皮膚領域に適用するために用いられる、ドレッシング材。
【請求項１６】
請求項１から１３のいずれか一項に記載のドレッシング材において、瘢痕もしくは皮膚損傷を防止および／または美容処置するため、少なくとも１つの皮膚領域に適用するために用いられる、ドレッシング材。
【請求項１７】
請求項１から１６のいずれか一項に記載のドレッシング材を製造する方法であって、
（ａ）１〜４個の単糖単位を有する多硫酸化オリゴ糖類、その塩およびその錯体から選択される少なくとも１種の化合物を、ドレッシング材の微小粘着性界面部上に付着させるか又は微小粘着性界面部内に含有させる工程と、
（ｂ）エチレンオキシドにより前記ドレッシング材を処理する工程と、
を含む、ドレッシング材の製造方法。
【請求項１８】
請求項１７に記載のドレッシング材の製造方法において、エチレンオキシドにより処理する工程（ｂ）が、少なくとも、
（ｉ）前処理工程、
（ｉｉ）エチレンオキシドへの曝露工程、および
（ｉｉｉ）洗浄工程、
を有する、ドレッシング材の製造方法。
【請求項１９】
請求項１８に記載のドレッシング材の製造方法において、
前処理工程（ｉ）では、前記ドレッシング材または化合物層を、２５〜６０℃の温度及び５０〜９５％の相対湿度に、５時間〜１５時間で順化させる工程を備え、
曝露工程（ｉｉ）は、３０℃以上の温度及び５０％以上の相対湿度を有するチャンバ内で、９２０ｍｂａｒ以上の圧力のエチレンオキシドガスによる処理を、２時間以上施す工程を備え、
洗浄工程（ｉｉｉ）は、窒素注入および膨張を少なくとも２回連続して実行する工程を備える、ドレッシング材の製造方法。
【手続補正２】
【補正対象書類名】明細書
【補正対象項目名】０１５７
【補正方法】変更
【補正の内容】
【０１５７】
当然ながら、本発明は、これまでに説明・図示した実施例や実施形態に限定されるものではなく、当業者にとって想到可能な数多くの変形例も包含している。
なお、本発明は、実施の態様として以下の内容を含む。
〔態様１〕
少なくとも１つの微小粘着性界面部を有するドレッシング材であって、
エチレンオキシドによる処理が施されており、
前記微小粘着性界面部が、１〜４個の単糖単位を有する多硫酸化オリゴ糖類、その塩およびその錯体から選択される少なくとも１種の化合物を備える、ドレッシング材。
〔態様２〕
態様１に記載のドレッシング材において、多硫酸化オリゴ糖化合物が、スクロースオクタスルフェートのカリウム塩類、スクロースオクタスルフェートの銀塩類、およびスクロースオクタスルフェートのヒドロキシアルミニウム錯体類から選択される、ドレッシング材。
〔態様３〕
態様１または２に記載のドレッシング材において、当該ドレッシング材が、１〜４個の単糖単位を有する多硫酸化オリゴ糖類、その塩およびその錯体から選択される化合物を、０．５〜２ｍｇ／ｃｍ２（好ましくは０．７〜１．９ｍｇ／ｃｍ２、有利には０．９〜１．７ｍｇ／ｃｍ２）含む、ドレッシング材。
〔態様４〕
態様１から３のいずれか一態様に記載のドレッシング材において、微小粘着性界面部の構造が、粘着性エラストマー組成物である、ドレッシング材。
〔態様５〕
態様１から４のいずれか一態様に記載のドレッシング材において、微小粘着性界面部が、少なくとも１種の粘着付与樹脂を１０〜６０重量％、少なくとも１種のハイドロコロイド化合物を２〜２０重量％（好ましくは１２〜１６重量％）、少なくとも１種の可塑化用鉱油を１０〜６５重量％、および少なくとも１種のエラストマー性ポリマーを３〜２５重量％備える、ドレッシング材。
〔態様６〕
態様１から５のいずれか一態様に記載のドレッシング材において、当該ドレッシング材が、１〜４個の単糖単位を有する多硫酸化オリゴ糖類、その塩およびその錯体から選択される少なくとも１種の化合物を、微小粘着性界面部の総重量に対し、１〜１５％（好ましくは５〜１０％）備える、ドレッシング材。
〔態様７〕
少なくとも１つの微小粘着性界面部を有するドレッシング材であって、
１〜４個の単糖単位を有する多硫酸化オリゴ糖類、その塩およびその錯体から選択される少なくとも１種の化合物が、前記微小粘着性界面部内に含有されているか又は前記微小粘着性界面部上に付着しており、
前記化合物の徐放性が、サチェット法に準じて測定される４０ｍｌ生理食塩水からなる溶媒中での溶解量が５時間で４％以上、１０時間で５％以上、１５時間で５．５％以上、２０時間で６％以上であることにより表される、ドレッシング材。
〔態様８〕
態様７に記載のドレッシング材において、当該ドレッシング材が示す多硫酸化オリゴ糖類の徐放性が、サチェット法に準じて測定される４０ｍｌ生理食塩水からなる溶媒中での溶解量が５時間で５％以上、１０時間で５．５％以上、１５時間で６％以上、２０時間で７％以上であることにより表される、ドレッシング材。
〔態様９〕
態様１から８のいずれか一態様に記載のドレッシング材において、微小粘着性界面部の、当該ドレッシング材に付与する粘着力が、鋼板上での測定値で、０．５〜１００ｃＮ／ｃｍ（好ましくは５〜４０ｃＮ／ｃｍ）である、ドレッシング材。
〔態様１０〕
態様１から９のいずれか一態様に記載のドレッシング材において、創傷の清浄化又は治癒、ストレッチマークの防止、ストレッチマークの治療、瘢痕の防止、および瘢痕の治療に用いられる、ドレッシング材。
〔態様１１〕
態様１から９のいずれか一態様に記載のドレッシング材を製造する方法であって、
（ａ）１〜４個の単糖単位を有する多硫酸化オリゴ糖類、その塩およびその錯体から選択される少なくとも１種の化合物を、ドレッシング材の微小粘着性界面部上に付着させるか又は微小粘着性界面部内に含有させる工程と、
（ｂ）エチレンオキシドにより前記ドレッシング材を処理する工程と、
を含む、ドレッシング材の製造方法。
〔態様１２〕
態様１１に記載のドレッシング材の製造方法において、エチレンオキシドにより処理する工程（ｂ）が、少なくとも、
（ｉ）前処理工程、
（ｉｉ）エチレンオキシドへの曝露工程、および
（ｉｉｉ）洗浄工程、
を有する、ドレッシング材の製造方法。
〔態様１３〕
態様１２に記載のドレッシング材の製造方法において、
前処理工程（ｉ）では、前記ドレッシング材または化合物層を、２５〜６０℃の温度及び５０〜９５％の相対湿度に、５時間〜１５時間で順化させる工程を備え、
曝露工程（ｉｉ）は、３０℃以上の温度及び５０％以上の相対湿度を有するチャンバ内で、９２０ｍｂａｒ以上の圧力のエチレンオキシドガスによる処理を、２時間以上施す工程を備え、
洗浄工程（ｉｉｉ）は、窒素注入および膨張を少なくとも２回連続して実行する工程を備える、ドレッシング材の製造方法。
〔態様１４〕
ストレッチマークまたはストレッチマークによる瘢痕もしくは皮膚損傷を防止および／または美容処置する方法であって、
態様１から９のいずれか一態様に記載のドレッシング材を、その対象である少なくとも１つの皮膚領域に適用する工程、
を含む、方法。
〔態様１５〕
瘢痕または皮膚損傷を防止および／または美容処置する方法であって、
態様１から９のいずれか一態様に記載のドレッシング材を、対象である少なくとも１つの皮膚領域に適用する工程、
を含む、方法。